(57)【特許請求の範囲】
【請求項１】
アドレス情報が予め形成された光ディスクに対して記録再生を行う光ディスク装置であって、
前記光ディスクにレーザ光を照射する照射手段と、
前記光ディスクの半径方向に少なくとも２分割され、前記光ディスクからの戻り光を電気信号に変換するフォトディテクタと、
前記２分割されたフォトディテクタの内周側フォトディテクタの信号と外周側フォトディテクタの信号の和信号あるいは差信号のいずれかを選択的に用いて前記アドレス情報を再生する手段と、
を有し、
前記アドレス情報は、前記光ディスクの半径方向に離間して形成された内周側アドレス情報及び外周側アドレス情報からなり、
前記アドレス情報を再生する手段は、前記内周側アドレス情報に対応する内周側フォトディテクタの信号の振幅と、前記外周側アドレス情報に対応する外周側フォトディテクタの信号の振幅とが所定値以上相違する場合に前記和信号を用い、それ以外の場合に前記差信号を用いて前記アドレス情報を再生する
ことを特徴とする光ディスク装置。
【請求項２】
アドレス情報が予め形成された光ディスクに対して記録再生を行う光ディスク装置であって、
前記光ディスクにレーザ光を照射する照射手段と、
前記光ディスクの半径方向に少なくとも２分割され、前記光ディスクからの戻り光を電気信号に変換するフォトディテクタと、
前記２分割されたフォトディテクタの内周側フォトディテクタの信号と外周側フォトディテクタの信号の和信号あるいは差信号のいずれかを選択的に用いて前記アドレス情報を再生する手段と、
を有し、
前記アドレス情報は、前記光ディスクの半径方向に離間して形成された内周側アドレス情報及び外周側アドレス情報からなり、
前記アドレス情報を再生する手段は、前記和信号を用いた場合のアドレス検出数と、前記差信号を用いた場合のアドレス検出数とを比較し、アドレス検出数の多い方の信号を用いて前記アドレス情報を再生する
ことを特徴とする光ディスク装置。
【請求項３】
請求項２記載の装置において、
前記アドレス情報を再生する手段は、前記光ディスクの最外周の情報トラックにおける前記和信号を用いた場合のアドレス検出数と、前記差信号を用いたアドレス検出数とを比較する
ことを特徴とする光ディスク装置。
【請求項４】
アドレス情報が予め形成された光ディスクに対して記録再生を行う光ディスク装置であって、
前記光ディスクにレーザ光を照射する照射手段と、
前記光ディスクの半径方向に少なくとも２分割され、前記光ディスクからの戻り光を電気信号に変換するフォトディテクタと、
前記２分割されたフォトディテクタの内周側フォトディテクタの信号と外周側フォトディテクタの信号の和信号あるいは差信号のいずれかを選択的に用いて前記アドレス情報を再生する手段と、
前記照射手段から照射される前記レーザ光のフォーカスずれ量を検出する手段と、
を有し、
前記アドレス情報は、前記光ディスクの半径方向に離間して形成された内周側アドレス情報及び外周側アドレス情報からなり、
前記アドレス情報を再生する手段は、前記フォーカスずれ量が所定値以上である場合に前記和信号を用い、それ以外の場合には前記差信号を用いて前記アドレス情報を再生する  ことを特徴とする光ディスク装置。
【請求項５】
アドレス情報が予め形成された光ディスクに対して記録再生を行う光ディスク装置であって、
前記光ディスクにレーザ光を照射する照射手段と、
前記光ディスクの半径方向に少なくとも２分割され、前記光ディスクからの戻り光を電気信号に変換するフォトディテクタと、
前記２分割されたフォトディテクタの内周側フォトディテクタの信号と外周側フォトディテクタの信号の和信号あるいは差信号のいずれかを選択的に用いて前記アドレス情報を再生する手段と、
前記照射手段から照射される前記レーザ光の光軸と前記光ディスクとの傾きを検出する手段と、  
を有し、
前記アドレス情報は、前記光ディスクの半径方向に離間して形成された内周側アドレス情報及び外周側アドレス情報からなり、
前記アドレス情報を再生する手段は、前記傾きが所定値以上である場合に前記差信号を用い、それ以外の場合には前記和信号を用いて前記アドレス情報を再生する
ことを特徴とする光ディスク装置。
【請求項６】
アドレス情報が予め形成された光ディスクに対して記録再生を行う光ディスク装置であって、
前記光ディスクにレーザ光を照射する照射手段と、
前記光ディスクの半径方向に少なくとも２分割され、前記光ディスクからの戻り光を電気信号に変換するフォトディテクタと、
前記２分割されたフォトディテクタの内周側フォトディテクタの信号と外周側フォトディテクタの信号の和信号あるいは差信号のいずれかを選択的に用いて前記アドレス情報を再生する手段と、
前記照射手段から照射される前記レーザ光のフォーカスずれ量を検出する手段と、
前記照射手段から照射される前記レーザ光の光軸と前記光ディスクとの傾きを検出する手段と、  
を有し、
前記アドレス情報は、前記光ディスクの半径方向に離間して形成された内周側アドレス情報及び外周側アドレス情報からなり、
前記アドレス情報を再生する手段は、前記フォーカスずれ量がしきい値以上ある場合に前記和信号を用い、前記傾きがしきい値以上ある場合には前記差信号を用い、前記フォーカスずれ量及び前記傾きがいずれもしきい値より小さい場合に前記和信号あるいは差信号のいずれかを用いて前記アドレス情報を再生する
ことを特徴とする光ディスク装置。
【発明の詳細な説明】
【０００１】
【発明の属する技術分野】
本発明は光ディスク装置、特にＤＶＤ−ＲＡＭ等のようにアドレス情報が予め形成された光ディスクのアドレス情報再生に関する。
【０００２】
【従来の技術】
従来より、ＤＶＤ−ＲＡＭ等の光ディスクでは、１セクタ内にヘッダ部とデータ部が形成され、ヘッダ部にアドレス情報がエンボス形成されてランダムアクセス可能となっている。
【０００３】
図７には、ＤＶＤ−ＲＡＭにおけるセクタ構成が模式的に示されている。１セクタは、ヘッダ部及びデータ部から構成され、ヘッダ部には４つのアドレス情報ＩＤ１、ＩＤ２、ＩＤ３、ＩＤ４がエンボス形成されている。ＩＤ１〜ＩＤ４のいずれかを再生することで当該セクタのアドレス情報を得ることができる。ＩＤ１とＩＤ２は円周方向に対して同一位置に形成され、ＩＤ３とＩＤ４も円周方向に対して同一位置に形成され、ＩＤ１、２とＩＤ３、４は光ディスクの半径方向に対して離間して設けられている。図に示されるように、光ピックアップからのレーザ光のスポット１００が図中右方向に移動する（光ディスクが回転して左方向に移動する）と、まずＩＤ１とＩＤ２が検出され、次にＩＤ３とＩＤ４が検出されることになる。ＤＶＤ−ＲＡＭでは記録密度向上のため、ランドとグルーブにデータが記録されるが、ランドに着目すると、ＩＤ１とＩＤ２は内周側に形成され、ＩＤ３とＩＤ４は外周側に形成される。また、グルーブに着目すると、ＩＤ１とＩＤ２は外周側に形成され、ＩＤ３とＩＤ４は内周側に形成される。従って、ランドとグルーブとでは、アドレス情報の位置が異なるため、このような位置の相違に基づきランドとグルーブを互いに区別することができる。
【０００４】
なお、図には、戻り光を電気信号に変換する４分割フォトディテクタの配置も示されている。４分割フォトディテクタはＡ〜Ｄの４つのディテクタから構成され、（Ａ＋Ｄ）及び（Ｂ＋Ｃ）が半径方向に２分割されたフォトディテクタである。オントラック状態においてランドでは（Ａ＋Ｄ）でＩＤ１とＩＤ２、（Ｂ＋Ｃ）でＩＤ３とＩＤ４がそれぞれ検出され、グルーブでは（Ａ＋Ｄ）でＩＤ３とＩＤ４、（Ｂ＋Ｃ）でＩＤ１とＩＤ２がそれぞれ検出される。
【０００５】
図８には、４分割フォトディテクタＡ、Ｂ、Ｃ、Ｄからの信号の全ての和である（Ａ＋Ｂ＋Ｃ＋Ｄ）信号、すなわち、半径方向に２分割されたフォトディテクタ（Ａ＋Ｄ）、（Ｂ＋Ｃ）の２つの信号の和信号が示されている。レーザスポット１００は、ＩＤ１、ＩＤ２、ＩＤ３、ＩＤ４の順に検出するため、和信号にもＩＤ１信号、ＩＤ２信号、ＩＤ３信号、ＩＤ４信号がこの順に出現する。和信号であるため、ＩＤ１信号〜ＩＤ４信号の極性は全て同一である。
【０００６】
一方、図９及び図１０には、半径方向に２分割された２つのフォトディテクタ（Ａ＋Ｄ）及び（Ｂ＋Ｃ）の差信号（Ａ＋Ｄ）−（Ｂ＋Ｃ）が示されている。図９は、グルーブセクタにおける差信号であり、グルーブにおいてはディテクタ（Ｂ＋Ｃ）でＩＤ１とＩＤ２を検出し、（Ａ＋Ｄ）でＩＤ３とＩＤ４を検出するため、差信号では（Ｂ＋Ｃ）で検出されるＩＤ１とＩＤ２の信号極性が反転することになる。
【０００７】
一方、図１０はランドセクタにおける差信号波形であり、ランドにおいてはディテクタ（Ａ＋Ｄ）でＩＤ１とＩＤ２を検出し、（Ｂ＋Ｃ）でＩＤ３とＩＤ４を検出するため、差信号においてはＩＤ３とＩＤ４の信号極性が反転することになる。
【０００８】
このように、和信号あるいは差信号のいずれを用いてもＩＤ１〜ＩＤ４のアドレス情報を得ることができ、ＤＶＤ−ＲＡＭのアドレス情報を再生することができる。なお、データ部を和信号で再生する場合には、アドレス情報もこの和信号の極性に一致させる必要があるので、差信号を用いてアドレス情報を再生する場合、グルーブセクタにおいてはＩＤ１とＩＤ２の極性を反転させてアドレス情報を再生し、ランドセクタにおいてはＩＤ３とＩＤ４の極性を反転させてアドレス情報を再生する必要がある。もちろん、和信号を用いてアドレス情報を再生する場合には極性反転処理は不要である。
【０００９】
【発明が解決しようとする課題】
このように、４分割フォトディテクタのうち、半径方向に２分割された２つのフォトディテクタの和信号あるいは差信号のいずれでもアドレス情報を再生できることに鑑み、従来においてはドライブの処理回路を和信号あるいは差信号のいずれかに固定してアドレス情報を再生しているが、本願出願人はこのように固定したのではアドレス情報を確実に再生することができない場合があることを見い出した。
【００１０】
例えば、光ディスク装置においては、光ピックアップやドライブの組み立て時の精度のばらつき、あるいはフォーカスオフセット調整不足等により、フォーカスずれが生じる場合があるが、フォーカスずれが生じると、光ディスクに照射されるレーザ光のスポット形状が変化し、４分割フォトディテクタＡ〜Ｄの光量バランスが崩れ、差信号を用いてアドレス情報を再生しようとしても同相ノイズが除去されず、逆に差演算による位相変化によりアドレス再生エラーが生じてしまう。
【００１１】
また、図１１（ａ）に示されるように、光ディスク１０に対して光ピックアップ１４から照射されたレーザ光の光軸が傾いた（チルト）場合、図１１（ｂ）に示されるように本来のメインスポット１００の他にその近傍にサイドロープ２００が出現し、４分割フォトディテクタで検出される光量分布も（ｃ）に示されるように本来の位置Ｐ１の他にＰ２でもピークを持つことになる。この場合、和信号でアドレス情報を再生すると、サイドロープ２００の影響を受けて分解能の低下や位相変化が生じ、同様にアドレス再生エラーが生じてしまう。すなわち、和信号あるいは差信号のいずれかを固定的に用いても、アドレス再生エラーが生じてしまうのである。
【００１２】
本発明は、上記従来技術の有する課題に鑑みなされたものであり、その目的は、光ディスクに予め掲載されたアドレス情報を確実に再生することができる光ディスク装置を提供することにある。
【００１３】
【課題を解決するための手段】
上記目的を達成するために、本発明は、アドレス情報が予め形成された光ディスクに対して記録再生を行う光ディスク装置であって、前記光ディスクにレーザ光を照射する照射手段と、前記光ディスクの半径方向に少なくとも２分割され、前記光ディスクからの戻り光を電気信号に変換するフォトディテクタと、前記２分割されたフォトディテクタの内周側フォトディテクタの信号と外周側フォトディテクタの信号の和信号あるいは差信号のいずれかを選択的に用いて前記アドレス情報を再生する手段とを有し、前記アドレス情報は、前記光ディスクの半径方向に離間して形成された内周側アドレス情報及び外周側アドレス情報からなり、前記アドレス情報を再生する手段は、前記内周側アドレス情報に対応する内周側フォトディテクタの信号の振幅と、前記外周側アドレス情報に対応する外周側フォトディテクタの信号の振幅とが所定値以上相違する場合に前記和信号を用い、それ以外の場合に前記差信号を用いて前記アドレス情報を再生することを特徴とする。
【００１４】
また、本発明は、アドレス情報が予め形成された光ディスクに対して記録再生を行う光ディスク装置であって、前記光ディスクにレーザ光を照射する照射手段と、前記光ディスクの半径方向に少なくとも２分割され、前記光ディスクからの戻り光を電気信号に変換するフォトディテクタと、前記２分割されたフォトディテクタの内周側フォトディテクタの信号と外周側フォトディテクタの信号の和信号あるいは差信号のいずれかを選択的に用いて前記アドレス情報を再生する手段とを有し、前記アドレス情報は、前記光ディスクの半径方向に離間して形成された内周側アドレス情報及び外周側アドレス情報からなり、前記アドレス情報を再生する手段は、前記和信号を用いた場合のアドレス検出数と、前記差信号を用いた場合のアドレス検出数とを比較し、アドレス検出数の多い方の信号を用いて前記アドレス情報を再生することを特徴とする。
【００１５】
ここで、前記アドレス情報を再生する手段は、前記光ディスクの最外周の情報トラックにおける前記和信号を用いた場合のアドレス検出数と、前記差信号を用いたアドレス検出数とを比較することができる。
【００１６】
また、本発明は、アドレス情報が予め形成された光ディスクに対して記録再生を行う光ディスク装置であって、前記光ディスクにレーザ光を照射する照射手段と、前記光ディスクの半径方向に少なくとも２分割され、前記光ディスクからの戻り光を電気信号に変換するフォトディテクタと、前記２分割されたフォトディテクタの内周側フォトディテクタの信号と外周側フォトディテクタの信号の和信号あるいは差信号のいずれかを選択的に用いて前記アドレス情報を再生する手段と、前記照射手段から照射される前記レーザ光のフォーカスずれ量を検出する手段とを有し、前記アドレス情報は、前記光ディスクの半径方向に離間して形成された内周側アドレス情報及び外周側アドレス情報からなり、前記アドレス情報を再生する手段は、前記フォーカスずれ量が所定値以上である場合に前記和信号を用い、それ以外の場合には前記差信号を用いて前記アドレス情報を再生することを特徴とする。
【００１７】
また、本発明は、アドレス情報が予め形成された光ディスクに対して記録再生を行う光ディスク装置であって、前記光ディスクにレーザ光を照射する照射手段と、前記光ディスクの半径方向に少なくとも２分割され、前記光ディスクからの戻り光を電気信号に変換するフォトディテクタと、前記２分割されたフォトディテクタの内周側フォトディテクタの信号と外周側フォトディテクタの信号の和信号あるいは差信号のいずれかを選択的に用いて前記アドレス情報を再生する手段と、前記照射手段から照射される前記レーザ光の光軸と前記光ディスクとの傾きを検出する手段とを有し、前記アドレス情報は、前記光ディスクの半径方向に離間して形成された内周側アドレス情報及び外周側アドレス情報からなり、前記アドレス情報を再生する手段は、前記傾きが所定値以上である場合に前記差信号を用い、それ以外の場合には前記和信号を用いて前記アドレス情報を再生することを特徴とする。
【００１８】
また、本発明は、アドレス情報が予め形成された光ディスクに対して記録再生を行う光ディスク装置であって、前記光ディスクにレーザ光を照射する照射手段と、前記光ディスクの半径方向に少なくとも２分割され、前記光ディスクからの戻り光を電気信号に変換するフォトディテクタと、前記２分割されたフォトディテクタの内周側フォトディテクタの信号と外周側フォトディテクタの信号の和信号あるいは差信号のいずれかを選択的に用いて前記アドレス情報を再生する手段と、前記照射手段から照射される前記レーザ光のフォーカスずれ量を検出する手段と、前記照射手段から照射される前記レーザ光の光軸と前記光ディスクとの傾きを検出する手段とを有し、前記アドレス情報は、前記光ディスクの半径方向に離間して形成された内周側アドレス情報及び外周側アドレス情報からなり、前記アドレス情報を再生する手段は、前記フォーカスずれ量がしきい値以上ある場合に前記和信号を用い、前記傾きがしきい値以上ある場合には前記差信号を用い、前記フォーカスずれ量及び前記傾きがいずれもしきい値より小さい場合に前記和信号あるいは差信号のいずれかを固定的に用いて前記アドレス情報を再生することを特徴とする。
【００２０】
このように、本発明の光ディスク装置では、従来のように半径方向に２分割されたフォトディテクタからの２つの信号の和信号あるいは差信号のいずれかを固定的に用いてアドレス情報を再生するのではなく、和信号あるいは差信号のいずれかを選択的に用いてアドレス情報を再生するものである。「選択的に用いる」とは、光ディスクの種類や特性に応じて和信号あるいは差信号のいずれかを動的に切り替えて用いることを意味する。
【００２１】
具体的には、光ディスクに照射されるレーザ光のフォーカスずれやチルトが生じている場合には、これらに応じて和信号あるいは差信号のいずれかを選択的に用いてアドレス情報を再生する。フォーカスずれが生じた場合、上述したように光ディスクに照射されるレーザ光のスポット形状が変形し、このためＩＤ１、２とＩＤ３、４の戻り光量のバランスが崩れ、２つの信号の振幅レベルに相違が生じることとなる。このような場合、２つの信号の差信号を用いると同相ノイズが除去されずに位相変化が生じてしまうため、差信号ではなく和信号を用いてアドレス情報を再生する。また、チルトがある状態では、サイドロープが生じるので和信号を用いるとサイドロープの影響により位相変化が生じてしまうため、和信号ではなく差信号を用いてアドレス情報を再生する。
【００２２】
本発明では、和信号と差信号を動的に切り換えて用いるため、ある光ディスクに対してデータの記録再生を行う際、ある情報トラックあるいはセクタでは和信号を用い、別の情報トラックあるいはセクタでは差信号を用いてアドレス情報を再生する場合もあり得る。
【００２３】
【発明の実施の形態】
以下、図面に基づき本発明の実施形態について説明する。
【００２４】
＜第１実施形態＞
図１には、本実施形態にかかる光ディスク装置の構成ブロック図が示されている。光ディスク１０は、スピンドルモータ１２によりＣＡＶ（あるいはＣＬＶ）回転駆動される。
【００２５】
光ピックアップ１４は、光ディスク１０に対向配置され、記録パワーのレーザ光を光ディスク１０に照射してデータを記録するとともに、再生パワーのレーザ光を照射して記録データを再生する。記録時には、コントローラ２０からの記録データをエンコーダ１８にて変調し、さらにＬＤ駆動部１６にて駆動信号に変換して光ピックアップ１４のレーザダイオード（ＬＤ）を駆動する。再生時には、光ピックアップ１４内の４分割フォトディテクタで電気信号に変換された戻り光量をＲＦ信号処理部２２に供給し、さらにデコーダ２４にて復調した後、再生データとしてコントローラ２０に供給する。
【００２６】
ＲＦ信号処理部２２は、アンプやイコライザ、２値化部、ＰＬＬ部などを有し、ＲＦ信号をブーストした後２値化し、同期クロックを生成してデコーダ２４に出力する。デコーダ２４では、同期クロックを用いて２値化信号を復調する。復調する信号には、ヘッダ部のアドレス情報及びデータ部のデータ信号が含まれており、アドレス情報は再生ＲＦ信号の和信号あるいは差信号のいずれかを選択的に用いてデコードし、データ信号は再生ＲＦ信号の和信号を用いてデコードする。アドレス情報を和信号あるいは差信号のいずれでデコードするかは、後述するモード決定部３０で決定される。
【００２７】
トラッキング制御部２６は、再生ＲＦ信号からトラッキングエラー信号ＴＥを生成してコントローラ２０に供給する。トラッキングエラー信号は、ＤＰＤ法（位相差検出法）あるいはプッシュプル法を用いて生成する。なお、本実施形態では説明の都合上、コントローラ２０にトラッキングサーボ機能をもたせているが、もちろんコントローラ２０とは別個にトラッキングサーボ回路を設け、このトラッキングサーボ回路にトラッキングエラー信号ＴＥを供給する構成としてもよい。また、トラッキングオフセット部を設け、オントラックするためのトラッキングオフセット量を算出してトラッキングエラー信号に加算する構成としてもよい。
【００２８】
フォーカス制御部２８は、再生ＲＦ信号からフォーカスエラー信号ＦＥを生成してコントローラ２０に供給する。トラッキング制御と同様に、コントローラ２０とは別個にフォーカスサーボ回路を設け、このフォーカスサーボ回路にフォーカスエラー信号ＦＥを供給してもよい。また、フォーカスオフセット部を設け、オンフォーカスするためのフォーカスオフセット量を算出してフォーカスエラー信号に加算する構成としてもよい。
【００２９】
モード決定部３０は、ＲＦ信号処理部２２からのＲＦ信号に基づき、アドレス情報を再生するために半径方向に２分割されたフォトディテクタ（Ａ＋Ｄ）、（Ｂ＋Ｃ）の和信号あるいは差信号のいずれを用いるかを動的に決定してコントローラ２０に供給する。コントローラ２０はモード決定部３０からの信号に基づき、デコーダ２４におけるアドレス情報のデコードを制御する。すなわち、モード決定部３０にて和信号であると決定された場合には、デコーダ２４は和信号を用いてアドレス情報を再生し、モード決定部３０で差信号と決定された場合には、デコーダ２４は差信号でアドレス情報を再生する。なお、既述したようにデータ部は和信号で再生するため、アドレス情報を差信号で再生する場合には、デコーダ２４ではアドレス情報のタイミングでは差信号を用い、データ部のタイミングでは和信号に切り替えてデコードする。本実施形態では、以下の２つの態様が存在し得る。
【００３０】
態様１
アドレス情報：和信号で再生
データ：和信号で再生
態様２
アドレス情報：差信号で再生
データ：和信号で再生
ここで、差信号を用いる場合には極性を反転させてアドレス情報を得る必要があるのは従来と同様である。
【００３１】
図２には、図１におけるモード決定部３０の構成ブロック図が示されている。モード決定部３０は、ピークホールド回路３０ａ、ボトムホールド回路３０ｂ、Ａ／Ｄ３０ｃ、３０ｄ及びＣＰＵ３０ｅを有して構成される。
【００３２】
ＲＦ信号処理部２２からの２つのＲＦ信号、すなわち（Ａ＋Ｄ）信号と（Ｂ＋Ｃ）信号はピークホールド回路３０ａ及びボトムホールド回路３０ｂにそれぞれ供給される。
【００３３】
ピークホールド回路３０ａは、コントローラ２０から供給されたＩＤゲート信号に基づき、入力された２つのＲＦ信号をアドレス情報タイミングでピークホールドし、ピーク値をＡ／Ｄ３０ｃに供給する。Ａ／Ｄ３０ｃは、入力されたピーク値をデジタル値に変換してＣＰＵ３０ｅに供給する。ＣＰＵ３０ｅには、（Ａ＋Ｄ）信号に含まれるアドレス情報信号のピーク値及び（Ｂ＋Ｃ）信号に含まれるアドレス情報信号のピーク値が供給される。
【００３４】
ボトムホールド回路３０ｂは、コントローラ２０から供給されたＩＤゲート信号に基づき、２つのＲＦ信号をアドレス情報タイミングでボトムホールドし、ボトム値をＡ／Ｄ３０ｄに供給する。Ａ／Ｄ３０ｄは、入力されたボトム値をデジタル値に変換してＣＰＵ３０ｅに供給する。ＣＰＵ３０ｅには、（Ａ＋Ｄ）信号に含まれるアドレス情報信号のボトム値及び（Ｂ＋Ｃ）信号に含まれるアドレス情報信号のボトム値が供給される。
【００３５】
ＣＰＵ３０ｅは、例えばランドの時には（Ａ＋Ｄ）信号のピーク値とボトム値の差、すなわちＩＤ１とＩＤ２のアドレス情報信号の振幅と、（Ｂ＋Ｃ）信号のピーク値とボトム値の差、すなわちＩＤ３とＩＤ４のアドレス情報信号の振幅を算出して両者を比較し、その結果に基づき和信号あるいは差信号のいずれを用いるかを決定してコントローラ２０に供給する。具体的には、ＩＤ１とＩＤ２の信号振幅とＩＤ３とＩＤ４の信号振幅の比を算出し、比が所定値以上となった場合には、フォーカスずれにより２つの信号の振幅に相違が生じたと判定して差信号ではなく和信号を用いるべきと判定する。なお、グルーブの時には（Ａ＋Ｄ）信号がＩＤ３と４に、（Ｂ＋Ｃ）信号がＩＤ１と２にそれぞれ対応する。
【００３６】
図３には、本実施形態の処理フローチャートが示されている。まず、ＤＶＤ−ＲＡＭ等の光ディスク１０をドライブ（光ディスク装置）に装着した後、光ディスク１０の所定領域に記憶されているディスクＩＤを読み取るとともに、フォーカスオフセットやトラッキングオフセットを設定してフォーカスサーボやトラッキングサーボを調整する（Ｓ１０１）。次に、光ディスク１０の所定トラック（最内周トラックあるいは最外周トラック）に光ピックアップ１４を移動させ、アドレス情報を複数セクタ分読み込む（Ｓ１０２）。読み込むべきセクタ数は予め決定し、例えば１トラック２５セクタだけ読み込むことができる。既述したように１セクタには４つのアドレス情報ＩＤ１〜ＩＤ４が含まれており、従って２５セクタでは合計１００個のアドレス情報が含まれることになる。
【００３７】
次に、読み取ったアドレス情報のＩＤ１とＩＤ２の振幅、及びＩＤ３とＩＤ４の振幅を測定する（Ｓ１０３）。具体的には、ＩＤ１とＩＤ２はそれぞれ２５個ずつあるので、ＩＤ１の２５個の平均振幅とＩＤ２の２５個の平均振幅を算出し、さらに両者の振幅の平均を算出することでＩＤ１とＩＤ２の平均振幅を算出することができる。同様に、ＩＤ３の２５個の平均振幅とＩＤ４の２５個の平均振幅の平均を算出することでＩＤ３とＩＤ４の平均振幅を算出する。
【００３８】
平均振幅を算出した後、モード決定部３０内のＣＰＵ３０ｅは２つの振幅の比Ｋを
【数１】
Ｋ＝（ＩＤ１とＩＤ２の振幅）／（ＩＤ３とＩＤ４の振幅）
により算出し（Ｓ１０４）、その比が所定値、たとえば２ｄＢより小さいか否かを判定する（Ｓ１０５）。そして、振幅の比が所定値以上である場合には、フォーカスずれによりレーザ光のスポット径が変形していると判定して和信号モードに設定し（Ｓ１０７）、振幅の比が所定値より小さい場合にはフォーカスずれは生じていない（あるいは影響ないレベル）として差信号モードに設定する（Ｓ１０６）。振幅の比に応じて和信号モードあるいは差信号モードのいずれかを選択した後、選択されたモードでアドレス情報の再生を行う。
【００３９】
このように、本実施形態においてはフォーカスずれによりＩＤ１とＩＤ２、及びＩＤ３とＩＤ４の信号振幅が異なる場合には、（Ａ＋Ｄ）と（Ｂ＋Ｃ）の和信号を用いてアドレス情報を再生することにより、フォーカスずれによらず確実にアドレス情報を得てデータの記録再生を行うことができる。
【００４０】
＜第２実施形態＞
図４には、本実施形態におけるモード決定部３０の構成ブロック図が示されている。なお、全体構成は図１に示された第１実施形態と同様である。
【００４１】
本実施形態のモード決定部３０は、和信号モードにおけるアドレス検出部３０ｆと差信号モードにおける３０ｇ及びＣＰＵ３０ｈを有して構成される。
【００４２】
ＲＦ信号処理部２２からの２つの信号、すなわち（Ａ＋Ｄ）信号及び（Ｂ＋Ｃ）信号はアドレス検出部３０ｆ及びアドレス検出部３０ｇに供給される。
【００４３】
アドレス検出部３０ｆは、デコーダを有し、（Ａ＋Ｄ）＋（Ｂ＋Ｃ）信号、すなわち和信号における複数セクタ分のアドレス情報を検出してＣＰＵ３０ｈに供給する。
【００４４】
一方、アドレス検出部３０ｇもデコーダを有し、（Ａ＋Ｄ）−（Ｂ＋Ｃ）信号、すなわち差信号における複数セクタ分のアドレス情報を検出してＣＰＵ３０ｈに供給する。
【００４５】
ＣＰＵ３０ｈは、和信号モードにおけるアドレス検出数及び差信号モードにおけるアドレス検出数を比較し、アドレス検出数の多い方のモードに決定してコントローラ２０に供給する。
【００４６】
図５には、本実施形態における処理フローチャートが示されている。まず、光ディスク１０をドライブに装着した後、ディスクＩＤを読み取り、フォーカスサーボやトラッキングサーボを調整する（Ｓ２０１）。次に、和信号モードに設定し、すなわちアドレス検出部３０ｆの動作をＯＮにして（Ｓ２０２）、光ピックアップ１４を光ディスク１０の最外周トラックにシークする（Ｓ２０３）。最外周トラックにシークするのは、外周に行くほど光ディスク１０とレーザ光の光軸との傾き（チルト）が大きくなると想定されるからである。
【００４７】
最外周にシークした後、複数セクタ分（例えば１０セクタ）のアドレス検出数Ａを測定する（Ｓ２０４）。１０セクタには合計４×１０＝４０個のアドレス情報が含まれており、検出できたアドレス情報の比率Ａ／４０を算出してもよい。
【００４８】
和信号モードにおけるアドレス検出数Ａを測定した後、差信号モードに設定し、すなわちアドレス検出部３０ｇをＯＮして（Ｓ２０５）、同数セクタ分（１０セクタ）のアドレス検出数Ｂを測定する（Ｓ２０６）。もちろん、Ｓ２０４と同様に比率Ｂ／４０を算出してもよい。
【００４９】
和信号モードのアドレス検出数Ａ及び差信号モードのアドレス検出数Ｂを測定した後、ＣＰＵ３０ｈは２つのモードにおけるアドレス検出数Ａ、Ｂを大小比較し、Ａ≧Ｂであるか否かを判定する（Ｓ２０７）。そして、Ａ≧Ｂである場合には、和信号モードの方がアドレスをより検出できるとして和信号モードに設定する（Ｓ２０８）。一方、Ａ＜Ｂである場合には、差信号モードの方がアドレスをより検出できるとして差信号モードに設定する（Ｓ２０９）。和信号モードあるいは差信号モードのいずれかを選択した後、光ピックアップ１４を所望の位置までシークさせ、選択されたモードでアドレス情報を再生し、データの記録再生を行う。
【００５０】
このように、本実施形態においては和信号モードあるいは差信号モードのうち、よりアドレスを検出できるモードの方に設定してアドレス情報を再生するため、フォーカスずれやチルトがある状態においても確実にアドレス情報を再生することができる。
【００５１】
なお、図１１に示されるようなチルトがある場合、一般にＡ＜Ｂとなるため差信号モードが選択され、差信号でアドレス情報が再生されることになる。このとき、ランドではＩＤ３、４の極性を反転させてアドレス情報を再生し、グルーブではＩＤ１、２の極性を反転させてアドレス情報を再生する。
【００５２】
＜第３実施形態＞
図６には、本実施形態におけるモード決定部３０の処理フローチャートが示されている。本実施形態においてはモード決定部３０はフォーカスずれを検出するセンサ、チルト量検出するセンサ及びＣＰＵを有して構成できる。フォーカスずれセンサとしては、例えばフォーカスずれに伴う再生信号品質（例えばジッタ値）の変化を検出するセンサを用いることができ、フォーカスずれによりジッタ値が増大することを利用してフォーカスずれ量を検出できる。また、チルトセンサとしては光ディスク１０にレーザ光を照射しその反射光を受光するフォトディテクタを用い、チルトがない状態ではフォトディテクタの２つのディテクタに同量だけ戻り光が入射し、チルトがある状態では２つのディテクタに入射する光量に差が生じるようにし、２つのディテクタからの信号の差分信号をチルト信号に用いる構成とすることができる。他のフォーカスずれセンサやチルトセンサを用いることも可能である。
【００５３】
フォーカスずれセンサやチルトセンサからの検出信号はＣＰＵに供給され、ＣＰＵは、フォーカスずれ量やチルト量をそれぞれしきい値と比較し、その大小関係に応じて和信号モードあるいは差信号モードのいずれかを選択してコントローラ２０に供給する。
【００５４】
図６において、まずフォーカスずれがあるか否かを判定する（Ｓ３０１）。この判定は、フォーカスずれセンサで検出されたずれ量を所定のしきい値と比較することにより行われる。そして、フォーカスずれ量がしきい値以上であり、フォーカスずれがあると判定された場合には、和信号モードに設定する（Ｓ３０２）。  一方、フォーカスずれがない場合には、次にチルトが存在するか否かを判定する（Ｓ３０３）。この判定も、チルトセンサからの検出量と所定のしきい値と比較することにより行われる。そして、チルトが存在する場合には、差信号モードに設定する（Ｓ３０４）。
【００５５】
一方、フォーカスずれもなく、チルトも存在しない場合には、ＣＰＵは和信号モードあるいは差信号モードのいずれかに固定的に設定する（Ｓ３０５）。例えば、フォーカスずれもチルトも存在しない場合には、和信号モードに設定する。
【００５６】
この場合、チルトが存在する場合のみ差信号でアドレス情報が再生され、それ以外には和信号で再生されることになる。
【００５７】
以上のようにしてフォーカスずれの有無、及びチルトの有無に応じて和信号モードあるいは差信号モードのいずれかに選択的に切り替えることで、光ディスク１０と光ピックアップ１４との関係によらず確実にアドレス情報を再生することができる。
【００５８】
なお、図６の処理は光ディスク１０を光ディスク装置に装着した後に１回だけ行ってもよく、この場合、フォーカスずれ及びチルトの有無は、光ディスク１０の最外周で検出することもできる。また、データの記録再生中に所定のタイミングで割り込み処理により複数回行ってもよい。
【００５９】
また、本実施形態では、フォーカスずれセンサ及びチルトセンサを設けて検出しているが、再生ＲＦ信号を処理することでフォーカスずれやチルト状態を検出することも可能であり、これにより構成の簡略化を図ることもできる。具体的には、ジッタ値を用いてＯＰＣ（Optimum Power Control）を行い記録パワーの最適化を図る機能を備えた光ディスク装置では、ジッタ値測定回路を備えているのでこの回路をフォーカスずれセンサとして機能させることができる。また、ピットが形成されていない状態における光ピックアップ１４への戻り光量（例えばレベルＡ）はチルト量を反映した光量となるため、この光量をモニタすることでチルトセンサとして機能させることができる。
【００６０】
以上、本発明の実施形態について説明したが、本発明はこれらに限定されるものではなく、種々の変更が可能である。
【００６１】
例えば、第２実施形態の変形例として、ゾーン毎に和信号と差信号のアドレス検出数を算出し、ゾーン毎に和信号を用いるか差信号を用いるかを決定してもよい。
【００６２】
また、デフォルトとして和信号モードに設定しておき、アドレス検出率が低下した場合にその時点で差信号に切り替えてアドレス情報を再生することもできる。
【００６３】
この場合、モード決定部３０としては、アドレス検出数を常に所定のしきい値と比較する比較器を有し、和信号におけるアドレス検出数がしきい値以下となった場合にコントローラ２０に和信号モードから差信号モードに切り替える信号を供給する構成とすればよい。この技術も、アドレス検出数の多い方のモードを用いてアドレス情報を再生していることと均等である。もちろん、デフォルトを差信号モードとし、アドレス検出数に応じて和信号に切り替えることも可能である。
【００６４】
【発明の効果】
以上説明したように、本発明によれば光ディスクに予め形成されたアドレス情報を確実に再生することができる。
【図面の簡単な説明】
【図１】  実施形態に係る光ディスク装置の構成ブロック図である。
【図２】  第１実施形態におけるモード決定部の構成ブロック図である。
【図３】  第１実施形態における処理フローチャートである。
【図４】  第２実施形態におけるモード決定部の構成ブロック図である。
【図５】  第２実施形態における処理フローチャートである。
【図６】  第３実施形態の処理フローチャートである。
【図７】  ＤＶＤ−ＲＡＭの構成図である。
【図８】  和信号の信号波形説明図である。
【図９】  グルーブセクタにおける差信号の信号波形説明図である。
【図１０】  ランドセクタにおける差信号の信号波形説明図である。
【図１１】  チルト状態におけるスポット形状及び光量変化を示す説明図である。
【符号の説明】
１０  光ディスク、１２  スピンドルモータ、１４  光ピックアップ、１６  ＬＤ駆動部、１８  エンコーダ、２０  コントローラ、２２  ＲＦ信号処理部、２４  デコーダ、２６  トラッキング制御部、２８  フォーカス制御部、３０  モード決定部。
【図１】
0003736412.tif 000002
【図２】
0003736412.tif 000003
【図３】
0003736412.tif 000004
【図４】
0003736412.tif 000005
【図５】
0003736412.tif 000006
【図６】
0003736412.tif 000007
【図７】
0003736412.tif 000008
【図８】
0003736412.tif 000009
【図９】
0003736412.tif 000010
【図１０】
0003736412.tif 000011
【図１１】
0003736412.tif 000012